(57)【要約】【課題】下折板屋根材２の形状や種類は制限されにくい取付具１を提供する。【解決手段】下折板屋根材２の上方に上折板屋根材３を取り付けるための取付具１である。下折板屋根材２の山部２１の上面４１以外の外面４に配置される固定部１１と、山部２１の側方から上方にわたって配置される上タイトフレーム５が引っ掛けられる引掛け部１２と、を備える。下折板屋根材２の山部２１の上面４１以外の外面４に固定部１１を配置して取付具１を取り付け、この取付具１の引掛け部１２に上タイトフレーム５を引っ掛けて配置し、この上タイトフレーム５に上折板屋根材３を取り付けることができ、下折板屋根材２に上タイトフレーム５が引っ掛ける部分を設ける必要がない。【選択図】図１
2020186625.tif 000002
【特許請求の範囲】
【請求項１】
下折板屋根材の上方に上折板屋根材を取り付けるための取付具であって、
前記下折板屋根材の山部の上面以外の外面に配置される固定部と、
前記山部の側方から上方にわたって配置される上タイトフレームが引っ掛けられる引掛け部と、を備える、
取付具。
【請求項２】
前記外面は、前記山部の下部の外面を含む、
請求項１に記載の取付具。
【請求項３】
前記固定部は、前記下折板屋根材を取り付けた下タイトフレームに固定される、
請求項１又は２に記載の取付具。
【請求項４】
前記固定部及び前記引掛け部をそれぞれ複数有し、
前記複数の固定部をつなぐ接続部を備える、
請求項１〜３のいずれか１項に記載の取付具。
【請求項５】
請求項１〜４のいずれか１項に記載の取付具と、
前記上タイトフレームと、
複数の前記上タイトフレームをつなぐ継ぎ具と、を備える、
連結具。
【請求項６】
請求項５に記載の連結具を用いた二重折板屋根構造であって、
前記取付具は、前記下折板屋根材の前記山部の前記上面以外の外面に前記固定部を配置することによって、前記下折板屋根材の外面に設けられており、
前記上タイトフレームは、前記下折板屋根材の外面に設けた前記取付具の前記引掛け部に引っ掛けられて、前記山部の側方から上方にわたって配置されている、
二重折板屋根構造。
【請求項７】
請求項６に記載の二重折板屋根構造であって、
前記下折板屋根材が既存屋根材であり、
前記上折板屋根材が新規屋根材である、
屋根改修構造。
【発明の詳細な説明】
【技術分野】
【０００１】
本開示は、取付具、連結具、二重折板屋根構造、屋根改修構造に関する。より詳細には、下折板屋根材の上方に上折板屋根材を取り付けるための取付具、連結具、二重折板屋根構造、屋根改修構造に関する。
【背景技術】
【０００２】
特許文献１には、二重折板屋根が記載されている。この二重折板屋根は、上下に対向配置された折板の間にフレーム部材を備えている。フレーム部材には、上側の折板の係止部に係止される被係止部が設けられている。またフレーム部材の下端には、下側の折板の係止部に係止される係着部が設けられている。
【０００３】
そして、下側の折板の係止部に係着部を引っ掛けることにより、フレーム部材を下側の折板の上方に配置した後、このフレーム部材の被係止部に上側の折板の係止部を係止することによって、下側の折板の上方に上側の折板を配置し、二重折板屋根を形成している。
【先行技術文献】
【特許文献】
【０００４】
【特許文献１】特開２０１０−２４８８０７号公報
【発明の概要】
【発明が解決しようとする課題】
【０００５】
しかし、特許文献１の二重折板屋根では、フレーム部材の係着部を下側の折板の係止部に引っ掛けることにより、下側の折板にフレーム部材を取り付けている。このため、下側の折板は係着部を引っ掛ける係止部を備えたものでなければならず、使用可能な折板が制限されていた。
【０００６】
本開示は、上記事由に鑑みてなされており、使用可能な折板の制限が少ない取付具を提供することを目的とする。また本開示は、上記取付具を使用した連結具、二重折板屋根構造及び屋根改修構造を提供することを目的とする。
【課題を解決するための手段】
【０００７】
本開示の一態様に係る取付具は、下折板屋根材の上方に上折板屋根材を取り付けるための取付具である。前記下折板屋根材の山部の上面以外の外面に配置される固定部と、前記山部の側方から上方にわたって配置される上タイトフレームが引っ掛けられる引掛け部と、を備える。
【０００８】
本開示の一態様に係る連結具は、前記取付具と、前記上タイトフレームと、複数の前記上タイトフレームをつなぐ継ぎ具と、を備える。
【０００９】
本開示の一態様に係る二重折板屋根構造は、前記連結具を用いた二重折板屋根構造である。前記取付具は、前記下折板屋根材の前記山部の前記上面以外の外面に前記固定部を配置することによって、前記下折板屋根材の外面に設けられている。前記上タイトフレームは、前記下折板屋根材の外面に設けた前記取付具の前記引掛け部に引っ掛けられて、前記山部の側方から上方にわたって配置されている。
【００１０】
本開示の一態様に係る屋根改修構造は、前記二重折板屋根構造である。前記下折板屋根材が既存屋根材である。前記上折板屋根材が新規屋根材である。
【発明の効果】
【００１１】
本開示によれば、下折板屋根材の外面に取付具を取り付け、この取付具に上タイトフレームを引っ掛けて取り付けるため、取付具が取付可能であれば、下折板屋根材の形状や種類は制限されにくい、という利点がある。
【図面の簡単な説明】
【００１２】
【図１】図１は、本開示に係る二重折板屋根構造の一実施形態を示す断面図である。
【図２】図２は、本開示に係る取付具の一実施形態を示す斜視図である。
【図３】図３は、同上の取付具を示す分解斜視図である。
【図４】図４は、本開示に係る連結具に使用する上タイトフレームの一例を示す斜視図である。
【図５】図５は、本開示に係る連結具に使用する継ぎ具の一例を示す斜視図である。
【図６】図６は、本開示に係る二重折板屋根構造の施工途中を示す斜視図である。
【図７】図７は、同上の二重折板屋根構造の施工途中を示す一部の斜視図である。
【図８】図８は、同上の二重折板屋根構造の施工途中を示す斜視図である。
【図９】図９は、同上の二重折板屋根構造の施工途中を示す斜視図である。
【図１０】図１０は、本開示に係る取付具の変形例を示す斜視図である。
【図１１】図１１は、本開示に係る取付具の他の変形例を示す斜視図である。
【図１２】図１２は、本開示に係る二重折板屋根構造の変形例を示す断面図である。
【図１３】図１３は、本開示に係る二重折板屋根構造の他の変形例を示す断面図である。
【発明を実施するための形態】
【００１３】
（実施形態）
図１は、本実施形態に係る二重折板屋根構造８を示している。二重折板屋根構造８は、上折板屋根材３と、下折板屋根材２と、連結具６と、下タイトフレーム１０と、を備えている。連結具６は、取付具１と、上タイトフレーム５と、継ぎ具７と、を備えている。連結具６は、下タイトフレーム１０に上折板屋根材３を連結するために使用される。
【００１４】
なお、本開示において、第２方向とは、二重折板屋根構造８の勾配方向であって、水流れ方向である。第１方向とは、第２方向と直交する方向である。
【００１５】
＜取付具＞
取付具１は、下折板屋根材２の上方に上折板屋根材３を取り付けるために使用される部材である。つまり、上折板屋根材３は取付具１により下折板屋根材２の上方に配置される。取付具１は金属板を曲げ加工等することで形成されている。この金属板は、例えば、鉄板、鋼板、亜鉛めっき鋼板、塗装鋼板、又は、ガルバリウム鋼板（登録商標）、エスジーエル（登録商標）鋼板などである。図２に示すように、取付具１は、固定部１１と、引掛け部１２とを備えている。固定部１１は、下折板屋根材２の外面４に配置される部分である。引掛け部１２は、上タイトフレーム５が引っ掛けられる部分である。
【００１６】
固定部１１は、板部１１１と、補強部１１２とを備えている。板部１１１は四角形の板状に形成されている。板部１１１は傾斜している。板部１１１には複数の固定孔１１３が厚み方向で貫通して形成されている。複数の固定孔１１３は略上下方向に並んで設けられている。補強部１１２は板部１１１の前端部と後端部にそれぞれ設けられている。各補強部１１２は板部１１１の厚み方向の一面側に突出して形成されている。すなわち、２つの補強部１１２が前後方向に並んで対向配置されている。なお、前後方向とは、取付具１を取り付けた際に、第２方向と平行となる方向である。ここで、本開示において、平行とは厳密な意味での平行だけでなく、略平行も含む概念である。
【００１７】
引掛け部１２は２つの補強部１１２の間に架け渡されて設けられている。すなわち、引掛け部１２は前後方向に延びるように形成されている。引掛け部１２はボルト１２１及びナット１２２で構成されている。すなわち、２つの補強部１１２を貫通するようにボルト１２１を配置し、ボルト１２１の先端にナット１２２を締め付けるようにしている。引掛け部１２は固定孔１１３よりも略下方に設けられている。
【００１８】
取付具１は固定部１１及び引掛け部１２を複数有している。図２に示す取付具１では、２つの固定部１１及び２つの引掛け部１２を有している。すなわち、取付具１は左右一対の固定部１１を有し、各固定部１１に引掛け部１２がそれぞれ設けられている。２つの板部１１１は互いに対向しているが、２つの板部１１１の下端の間隔よりも上端の間隔のほうが広くなるように形成されている。すなわち、各板部１１１は下端から上端に向かって外方に向かって傾斜している。取付具１は複数の固定部１１をつなぐ接続部１３を備えている。図２に示す取付具１では、２つの固定部１１が接続部１３によりつながれている。接続部１３は各補強部１１２の下部に一体に設けられている。接続部１３は左右方向で対向する補強部１１２をつないでいる。なお、左右方向とは、取付具１を取り付けた際に、第１方向と平行となる方向である。
【００１９】
図２に示す取付具１は、２つの取付具半体１ａ、１ｂを組み合わせて形成されている。図３に示しように、取付具半体１ａ、１ｂは同形状であって、平面視で点対称となるように配置して組み合わされる。各取付具半体１ａ、１ｂは、左右両端にそれぞれ板部１１１を有している。各板部１１１の片側には補強部１１２が突設されている。各取付具半体１ａ、１ｂの各々の２つ補強部１１２は接続部１３により下端部が接続されている。また各補強部１１２には前後方向に貫通する結合孔１１４が設けられている。そして、取付具半体１ａ、１ｂは接続部１３が前後方向で対向するように配置される。また取付具半体１ａ、１ｂは補強部１１２が前後方向で対向するように配置される。また取付具半体１ａ、１ｂは左右両端の各々において、板部１１１が左右方向で重なるように配置される。さらに取付具半体１ａ、１ｂは左右両端の各々において、結合孔１１４が前後方向で対向するように配置される。そして、取付具半体１ａ、１ｂは左右両端の各々において、前後方向で対向する結合孔１１４にボルト１２１を通し、ボルト１２１の先端にナット１２２を締め付ける。このようにしてボルト１２１及びナット１２２で取付具半体１ａ、１ｂを組み付けて結合することにより、取付具１が形成される。ボルト１２１及びナット１２２は取付具半体１ａ、１ｂを結合する作用に加えて、上タイトフレーム５を引っ掛けて取り付ける引掛け部１２としても作用する。すなわち、ボルト１２１及びナット１２２は結合部材と引掛け部１２とを兼用する。
【００２０】
＜上タイトフレーム＞
上タイトフレーム５は逆Ｕ字状に形成されている。上タイトフレーム５は、一枚の帯状の金属板を曲げ加工等することで形成されている。この金属板は、例えば、鉄板、鋼板、亜鉛めっき鋼板、塗装鋼板、又は、ガルバリウム鋼板（登録商標）、エスジーエル（登録商標）鋼板などである。上タイトフレーム５は、取付具１の引掛け部１２に引っ掛けられる一対の屈曲部５０と、これら一対の屈曲部５０に繋がり、上折板屋根材３が固定される固定部５１とを備えている。図４に示すように、一対の屈曲部５０は、逆Ｕ字状の固定部５１の左右方向における両側の下端部にそれぞれ形成されている。なお、左右方向とは、上タイトフレーム５を施工した際に、第１方向と平行となる方向である。
【００２１】
屈曲部５０は左右方向の断面形状が「く」字状であり、上下方向の中間部が内側に向かって突出するように屈曲している。各屈曲部５０は、正面視において、左右方向と平行な突出部５２と、突出部５２の内側端部から外側斜め下方に突出した沿片部５３とを備えている。沿片部５３の先端（外側端）は自由端となっている。
【００２２】
上タイトフレーム５の一対の屈曲部５０には、それぞれ、断熱体５４が取り付けられている。断熱体５４は、屈曲部５０の内側の面に沿うように形成されており、突出部５２から沿片部５３にまでわたって形成されている。断熱体５４は、金属よりも熱伝導性が低い材料から形成される。断熱体５４は、例えば、ナイロン樹脂、又はＡＢＳ樹脂により成形されたプラスチック成形品、ゴム成形品、あるいはゴム製のテープが用いられる。断熱体５４は、例えば嵌合、接着又はかしめにより、屈曲部５０に取り付けられる。
【００２３】
図４に示すように、一対の屈曲部５０は、固定部５１を介して繋がっている。固定部５１は、前後方向に見て下方に開口した逆Ｕ字状に形成されており、下折板屋根材２の山部２１の上方に配置される。固定部５１は、左右方向に離間して配置された一対の脚片部５５と、一対の脚片部５５の上端部同士を繋いだ頂片部５６とを備えている。脚片部５５は、頂片部５６から外側斜め下方に向かって突出した傾斜板部５７と、傾斜板部５７の下端部から下方に向かって突出した縦板部５８とを備えている。固定部５１の左右方向の両側の下端部は、一対の縦板部５８によってそれぞれ構成されている。屈曲部５０の突出部５２は、縦板部５８の下端部から内側に向かって突出している。
【００２４】
傾斜板部５７には、上下方向に間隔をあけて複数（２つ）の係合部５９が形成されている。係合部５９は、傾斜板部５７の表面側に向かって突出しており、例えば、傾斜板部５７の一部を切り起こして形成される。固定部５１は、継ぎ具７が固着される連結部５８１を備えている。固定部５１は、一対の縦板部５８にそれぞれ形成された一対の連結部５８１を備えている。
【００２５】
各連結部５８１は、縦板部５８から左右方向に沿って外側に突出した連結片部５８２と、連結片部５８２から上方に突出したねじ軸５８３とを備えている。連結片部５８２は、厚み方向が上下方向と平行であり、平面視矩形の板状に形成されている。連結片部５８２は、縦板部５８の一部を切り起こすことで形成されている。連結片部５８２には、ねじ軸５８３の下端部が接続されており、ねじ軸５８３は連結片部５８２から上方に突出している。縦板部５８には、左右方向に貫通した矩形状の貫通孔５８４が形成されている。貫通孔５８４は、連結片部５８２を形成するにあたって、縦板部５８の一部を切り起こすことで形成された孔であり、連結片部５８２の上方に位置している。連結片部５８２は貫通孔５８４の下縁部から外側に向かって突出している。
【００２６】
＜継ぎ具＞
継ぎ具７は、２つの上タイトフレーム５をつなぐために使用される。継ぎ具７は、一枚の金属板を曲げ加工等することで形成されている。この金属板は、例えば、鉄板、鋼板、亜鉛めっき鋼板、塗装鋼板、又は、ガルバリウム鋼板（登録商標）、エスジーエル（登録商標）鋼板などである。図５に示すように、継ぎ具７は、横片部７０と、縦片部７１と、規制片部７２とを備えている。横片部７０は、隣り合う上タイトフレーム５の間に配置され、左右方向における両端部が一対の上タイトフレーム５にそれぞれ連結可能である。縦片部７１は、横片部７０の端部から下方に突出しており、左右方向に延びた板状に形成されている。規制片部７２は、各縦片部７１から前方向又は後方向に沿って突出しており、左右方向に対して直交した板状に形成されている。なお、左右方向とは、継ぎ具７を取り付けた際に、第１方向と平行なる方向である。
【００２７】
図５に示すように、横片部７０は、左右方向に延びた矩形板状に形成されている。横片部７０の左右方向の両端部の各々には、上下方向に貫通した挿通孔７４が形成されている。横片部７０の左右方向に沿った両端部には、下方に向かって突出した縦片部７１が形成されている。すなわち、継ぎ具７は、一対の縦片部７１を備えている。縦片部７１は、左右方向に延びる板状に形成されている。縦片部７１は横片部７０の左右方向における全長に亘って形成されており、一対の縦片部７１と横片部７０とで、継ぎ具７の主体が構成されている。
【００２８】
各縦片部７１の左右方向の両端部には、規制片部７２がそれぞれ設けられている。すなわち、継ぎ具７は、各縦片部７１の左右方向の両端部の各々に、一対ずつ規制片部７２が設けられており、計二対の規制片部７２を備えている。規制片部７２は、縦片部７１の左右方向の端部から他方の縦片部７１とは反対側に向かって突出している。すなわち、対をなす規制片部７２は、一対の縦片部７１から前後方向に沿ってそれぞれ互いに離れる方向に突出している。
【００２９】
＜二重折板屋根構造＞
本実施形態における二重折板屋根構造８は、折板が上下方向で対向して二重に配置されている屋根である。すなわち、下折板屋根材２の上方に上折板屋根材３が配置されて二重折板屋根構造８が形成されている。また二重折板屋根構造８として屋根改修構造９である場合を説明する。すなわち、下折板屋根材２が既存屋根材であって、施工してから数ヶ月以上経っており、劣化したりデザインが古くなっていたりした場合に、新規屋根材である上折板屋根材３を施工して、下折板屋根材２をカバーする場合について説明する。
【００３０】
＜下折板屋根材の設置＞
下折板屋根材２は屋根下地８１の上に複数配置されている。屋根下地８１は、母屋等の既存の屋根下地材であり、例えば、Ｈ型綱やＣ型綱やリップ溝型綱などにより構成されている。複数の下折板屋根材２は左右方向（第１方向）に並べて配置されており、下タイトフレーム１０により、屋根下地８１に取り付けられている。
【００３１】
下タイトフレーム１０は、屋根下地８１の上に載設され下折板屋根材２を固定するための部材である。下タイトフレーム１０は帯状の金属板を曲げ加工することにより形成される。下タイトフレーム１０は正面視で略逆Ｕ字状の山部１０１と、山部１０１の両方の下端から側方（山部１０１と反対側）に突出する固定部１０２とを有している。下タイトフレーム１０は複数の山部１０１と複数の固定部１０２とを有しており、山部１０１と固定部１０２とは、左右方向に交互に繰り返し並んで形成されている。
【００３２】
そして、固定部１０２が屋根下地８１の上に固定され、下タイトフレーム１０が屋根下地８１の上に設置されている。すなわち、山部１０１は屋根下地８１の上面よりも上方に突出している。また各山部１０１の頂部には吊子１０３が設けられている。下タイトフレーム１０は、屋根下地８１の長手方向（左右方向）に沿って略直線状に載設される。また下タイトフレーム１０は、前後方向に並ぶ複数の屋根下地８１毎に設けられている。したがって、下タイトフレーム１０は、前後方向（第２方向）において屋根下地８１と略同じピッチで配置され、且つその長手方向が屋根下地８１と平行となるようにして配置される。
【００３３】
下折板屋根材２は、前後方向に沿って延びて形成されている。また複数の下折板屋根材２が左右方向（流れ方向とは直角な方向であって、第１方向）に並ぶように配置されている。隣接する下折板屋根材２は隣接する端部同士が連結されている。各下折板屋根材２は、帯状の鋼板を断面略Ｕ字形状に曲げ加工することで形成される。各下折板屋根材２は、下タイトフレーム１０の固定部１０２の上方に配置される底面部２２と、この底面部２２における左右方向の両端から上方に向けて連設された一対の山部２１と、この山部２１の上端縁から延設されたはぜ継ぎ部２３とを備えている。下折板屋根材２の一対の山部２１は、上方ほど対向間の距離が大きくなるよう傾斜しており、下タイトフレーム１０の山部１０１の外側面に沿って配置される。このような下折板屋根材２は、底面部２２と山部２１とはぜ継ぎ部２３とが、曲げ加工により一体に形成されている。
【００３４】
下折板屋根材２は、例えば、次のようにして施工されている。
【００３５】
下タイトフレーム１０はその長手方向と屋根下地８１の長手方向とを同一方向に向けた状態で、略一直線状に設置されている。これにより、下タイトフレーム１０は、屋根下地８１の長手方向に直角な方向に離設され、下タイトフレーム１０の長手方向が、隔設された別の下タイトフレーム１０と平行となる。なお、下タイトフレーム１０が離間して並ぶ方向（すなわち、下タイトフレーム１０の並設方向）は、屋根勾配方向（第２方向）と同方向となる。
【００３６】
略Ｕ字状の下折板屋根材２は、離設された下タイトフレーム１０間を架け渡すようにして、下タイトフレーム１０の隣り合う山部１０１の間で、固定部１０２の上方に配置される。このとき、下折板屋根材２は、その長さ方向が、下タイトフレーム１０の並設方向と同じ方向となるよう配置される。このように設置した下折板屋根材２に対し、下タイトフレーム１０の長手方向に並ぶよう別の下折板屋根材２を配置する。この後、隣接配置された両方の下折板屋根材２を、はぜ継ぎ部２３を介してはぜ継ぎ固定する。このとき、下タイトフレーム１０の山部１０１に取り付けられた吊子１０３も共にはぜ締めすることで、吊子１０３を介して下折板屋根材２と下タイトフレーム１０とを固定する。このようにして、複数の下折板屋根材２を下タイトフレーム１０に固定することにより下折板屋根が形成される。
【００３７】
＜取付具の設置＞
取付具１は、下折板屋根材２の山部２１の上面４１以外の外面４に固定部１１を配置することによって、下折板屋根材２の外面４に設けられる。すなわち、取付具１の固定部１１は下折板屋根材２の外面４１に接触して配置されるが、この外面４は山部２１の上面４１以外である。本実施形態において、山部２１の上面４は、はぜ継ぎ部２３で構成されている。このため、はぜ継ぎ部２３よりも下側の部分、すなわち、山部２１の外側（下タイトフレーム１０と反対側）を向く面、または底面部２２の外側（下タイトフレーム１０と反対側）を向く面に沿って固定部１１が配置される。本実施形態においては、山部２１の外側（下タイトフレーム１０と反対側）を向く面に沿って固定部１１が配置される。ここで、固定部１１は山部２１の下部２１１の外面４２に沿って配置されるのが好ましい。下部２１１は山部２１の上下方向の中央部よりも下側の部分である。下部２１１は上部よりも底面部２２に近い。このため、取付具１を外面４２と底面部２２とに沿わせてガイドしながら取付具１を施工することができ、山部２１の上部に取付具１を配置する場合に比べて、取付具１の施工が行いやすい。また上折板屋根材３に正圧がかかった場合に、その圧力が上タイトフレーム５から取付具１に伝わって山部２１が下方に向かって変形しても、取付具１が底面部２２に達して支えられることがあり、上折板屋根材５の正圧に対する強度を向上させることができる。また意匠性も向上させることができる。例えば、パラペット形状の場合、壁と屋根の高さに制限がある場合がある。こういった場合、山部２１の下部２１１に取付具１を設置することで上折板屋根の高さを低く施工でき、壁の高さより高くならないようにすることができる。
【００３８】
固定部１１は、取付具１を下折板屋根材２の底面部２２の上方に配置した後、下折板屋根材２を取り付けた下タイトフレーム１０に固定される。すなわち、取付具１は下折板屋根材２の対向する一対の山部２１の間に配置される。このとき、取付具１は下折板屋根材２の底面部２２の上に載置される。また固定部１１は、下タイトフレーム１０に対応する位置において、下折板屋根材２の外面４（４２）に接触して配置し、ビスなどの固定具１４で下タイトフレーム１０に固定される。固定具１４は、板部１１１に設けた固定孔１１３に外方（下折板屋根材２と反対側）から差し込まれ、下折板屋根材２及び下タイトフレーム１０を貫通してねじ込まれる。
【００３９】
ここで、取付具１は左右両端のそれぞれに固定部１１を有しているので、各固定部１１がそれぞれ下タイトフレーム１０に固定される。すなわち、一方の固定部１１は、対向する一対の山部２１のうちの一方の山部２１の外面４に沿って配置される。他方の固定部１１は、対向する一対の山部２１のうちの他方の山部２１の外面４に沿って配置される。そして、上記のようにして、取付具１を対向する一対の山部２１の間に配置することで、山部２１の下部２１１の側方に上タイトフレーム５が引っ掛けられる引掛け部１２が配置される。
【００４０】
取付具１は、略全ての対向する山部２１の間に配置される。また、取付具１は略全ての下タイトフレーム１０に対応する位置に配置される。なお、下折板屋根材２の底面部２２の幅（第１方向の寸法）が、取付具１の幅（第１方向の寸法）よりも広い場合は、固定部１１と下折板屋根材２の外面４（４２）との間にスペーサを入れて固定具１４で固定することができる。すなわち、隣り合う山部２１の対向する外面４の間の寸法が、取付具１の対向する固定部１１の間の寸法よりも大きい場合がある。この場合、固定部１１と下折板屋根材２の外面４（４２）との間にスペーサを入れて、固定部１１と外面４との間に空間が生じにくくした状態で、固定部１１と下タイトフレーム１０とを固定具１４で固定する。下折板屋根材２の種類などに起因して、下折板屋根材２の底面部２２の幅と取付具１の幅が対応しない場合が想定される。下折板屋根材２の底面部２２の幅が取付具１の幅よりも狭い場合は、取付具１を下折板屋根材２の山部２１の少し上方に配置すれば対応できる。一方、下折板屋根材２の底面部２２の幅が取付具１の幅よりも広い場合は、下折板屋根材２と取付具１の固定部１１との間に隙間（２ｍｍ〜５ｍｍ程度)が生じることがあり、このような隙間に合うスペーサを固定部１１と外面４との間に入れて固定することができる。スペーサは、両方の固定部１１と、各固定部１１と対向する外面４との間に、それぞれ設けることが好ましく、これにより、取付具１をバランスよく配置することができる。
【００４１】
＜上タイトフレームの設置＞
上タイトフレーム５は、下折板屋根材２の外面４に設けた取付具１の引掛け部１２に引っ掛けられて、山部２１の側方から上方にわたって配置されている。ここで、上タイトフレーム５は、左右両端のそれぞれに屈曲部５０を有するが、各屈曲部５０が、各々、別々の引掛け部１２に引っ掛けられる。図７に示すように、屈曲部５０は引掛け部１２の下側に引っ掛けられ、これにより、上タイトフレーム５は上方への移動が規制される。
【００４２】
本実施形態の屈曲部５０は、断熱体５４を介して引掛け部１２に引っ掛けられる。このため、上タイトフレーム５と取付具１及び下折板屋根材２との間で熱が伝わり難くなり、ひいては、下折板屋根材２と上折板屋根材３とのヒートブリッジが抑制されて二重折板屋根の断熱性能が向上する。また屈曲部５０が引掛け部１２に引っ掛けられている状態において、沿片部５３の先端と、下折板屋根材２の底面部２２との間に隙間２４が形成される。隙間２４は、沿片部５３が移動可能なスペースとして利用される。すなわち、作業者は、一方の屈曲部５０を引掛け部１２に係止したまま、他方の屈曲部５０を山部２１の外面４に沿って下方にスライドすることができ、これにより、上タイトフレーム５を簡単に傾けることができて作業性が向上する。
【００４３】
上タイトフレーム５は、下折板屋根材２の山部２１の側方から上方にわたって配置される。すなわち、上タイトフレーム５は、下折板屋根材２の山部２１に被さるように配置され、各屈曲部５０が対応する引掛け部１２に引っ掛けられることで、取付具１に取り付けられる。ここで、上タイトフレーム５は、隣接する２つの下折板屋根材２の両方の山部２１の側方から上方にわたって配置される。すなわち、隣接する２つの下折板屋根材２は、はぜ継ぎ部２３により、隣接する山部２１同士が接続されているが、このはぜ継ぎ部２３接続された両方の山部２１を跨ぐようにして上タイトフレーム５が配置される。したがって、上タイトフレーム５の一方の屈曲部５０が引っ掛かる引掛け部１２と、他方の屈曲部５０が引っ掛かる引掛け部１２とは、別々の取付具１に設けられている。
【００４４】
このようにして複数の上タイトフレーム５は、左右方向に並べて設けられる。またほぼ全ての取付具１と上タイトフレーム５とが引っ掛けられる。
【００４５】
＜継ぎ具の設置＞
上記のようにして、取付具１に取り付けられた上タイトフレーム５は、継ぎ具７を介して左右方向で隣り合う別の上タイトフレーム５に連結される。すなわち、継ぎ具７により、上タイトフレーム５の屈曲部５０は取付具１の引掛け部１２から外れにくくなる。
【００４６】
図８に示すように、継ぎ具７は、隣り合う上タイトフレーム５の間に上方から配置される。継ぎ具７の横片部７０における左右方向の両端部の各々は、対応する上タイトフレーム５の連結片部５８２の上に載置される。また横片部７０に設けた各挿通孔７４には、対応する上タイトフレーム５のねじ軸５８３が下方から挿通される。各挿通孔７４に挿通されたねじ軸５８３は、横片部７０の上方に突出し、この突出部分には、ナット５８５が締め付けられる。したがって、横片部７０の左右方向の両端部の各々は、対応する連結片部５８２とナット５８５とで上下に挟まれる。これにより、横片部７０の左右方向の両端部の各々は、対応する連結部５８１に連結され、隣り合う上タイトフレーム５が継ぎ具７を介して連結される。このようにして、複数の継ぎ具７の各々が、隣り合う略全ての上タイトフレーム５の間に配置される。
【００４７】
規制片部７２は、上タイトフレーム５の縦板部５８の外側の面に沿って配置される。この状態において、規制片部７２は、縦板部５８よりも下方に突出し、縦板部５８の下方に位置する屈曲部５０に対向する。このため、上タイトフレーム５の屈曲部５０が、外側（固定部５１と反対側）に移動しようとしたときには、この移動が規制片部７２によって規制される。従って、屈曲部５０は引掛け部１２から外れ難くなる。
【００４８】
本実施形態の規制片部７２の下端部は、沿片部５３の先端部（下端部）と同じ高さに配置され、当該先端部に対向する。このため、例えば上折板屋根材３の上方において負圧が発生して上タイトフレーム５に上向きの力が加わり、引掛け部１２に引っ掛けられた屈曲部５０が縦板部５８との接続部分を支点にして外側に回転しようとした場合には、沿片部５３の先端部が外側に移動することが、規制片部７２によって規制される。このため、屈曲部５０は引掛け部１２から一層外れ難くなる。
【００４９】
＜上折板屋根材の設置＞
継ぎ具７を配置した後、上折板屋根材３が設置される。上折板屋根材３は図９に示すように、隣り合う上タイトフレーム５の間に配置される。
【００５０】
上折板屋根材３は一枚の金属板を曲げ加工等することで形成されている。この金属板は、例えば、鉄板、鋼板、亜鉛めっき鋼板、塗装鋼板、又は、ガルバリウム鋼板（登録商標）、エスジーエル（登録商標）鋼板などである。上折板屋根材３は、屋根の傾斜方向（流れ方向）に長尺に形成されている。また、上折板屋根材３は断面略Ｕ字状に形成されており、谷部３１と、その両方の側端部から斜め上方に向かって突出する山部３２とを備えて形成されている。谷部３１には一対の段部３１１が折り曲げ加工により上折板屋根材３の長手方向の略全長にわたって形成されている。
【００５１】
一方の山部３２は、傾斜部３２１と、頂部３２３と、嵌合部３２４を備えている。傾斜部３２１は、谷部３１の一方の側端から外側方（谷部３１と反対側）の斜め上方に向かって突出する。頂部３２３は、傾斜部３２１の上端から外側方（谷部３１と反対側）に向かって略水平に突出する。嵌合部３２４は、頂部３２３の端部から上方に向かって突出する断面略逆Ｕ字状に構成されている。
【００５２】
他方の山部３２は、傾斜部３２１と、頂部３２３と、被嵌合部３２５を備えている。傾斜部３２１は、谷部３１の一方の側端から外側方（谷部３１と反対側）の斜め上方に向かって突出する。頂部３２３は、傾斜部３２１の上端から外側方（谷部３１と反対側）に向かって略水平に突出する。被嵌合部３２５は、頂部３２３の端部から上方に向かって突出する断面略倒Ｌ字状に構成されている。
【００５３】
そして、山部３２の傾斜部３２１には被係止部３４、３５が設けられている。被係止部３４、３５は傾斜部３２１の一部を段状に折り曲げてその裏面側に突出するように形成されている。また、一方の被係止部３４は傾斜部３２１の上下方向の中央部よりも上側に形成され、他方の被係止部３５は傾斜部３２１の上下方向の中央部よりも下側に形成されている。また、被係止部３４、３５は上折板屋根材３の長尺方向の全長にわたって形成されている。
【００５４】
上折板屋根材３は、屋根の傾斜方向に並設された複数本の屋根下地８１の上に架け渡されて配置される。このとき、屋根下地８１に取り付けた上タイトフレーム５に上折板屋根材３を上側から被せるように配置する。また左右方向（第１方向）で隣り合う上タイトフレーム５の対向する固定部５１の間に上折板屋根材３の谷部３１を位置させて上タイトフレーム５の固定部５１の上に載置する。また上折板屋根材３の谷部３１は継ぎ具７の上方に位置している。
【００５５】
上折板屋根材３の一方の山部３２はこれに近接する一方の固定部５１と連結され、他方の山部３２はこれに近接する他方の固定部５１と連結される。この場合、山部３２に設けた上側の被係止部３４を固定部５１に設けた上側の係合部５９の先端（下端）に係止すると共に山部３２に設けた下側の被係止部３５を固定部５１に設けた下側の係合部５９の先端（下端）に係止する。このようにして上折板屋根材３の両側の山部３２のそれぞれを、左右方向に隣り合う別々の上タイトフレーム５に引っ掛けて取り付ける。また、上折板屋根材３の被嵌合部３２５を設けた方の山部３２の頂部３２３は上タイトフレーム５の頂片部５６の上側に配置する。
【００５６】
次に、上記とは別の上折板屋根材３を屋根の傾斜方向に並設された複数本の屋根下地８１の上に架け渡して配置する。この別の上折板屋根材３は上記既設の上折板屋根材３に隣接して配置する。これにより、上タイトフレーム５を挟んで上折板屋根材３が左右方向で隣り合う状態となる。また、上記別の上折板屋根材３も、上記の既設した上折板屋根材３と同様に、上タイトフレーム５に上側から被せるように配置する。そして、上タイトフレーム５の隣り合う固定部５１の間に谷部３１を位置させると共に係合部５９への被係止部３４、３５の引っ掛けにより両側の山部３２を上タイトフレーム５に引っ掛けて取り付ける。
【００５７】
また左右方向で隣接させた上折板屋根材３の嵌合部３２４と被嵌合部３２５とを嵌合し、嵌合部３２４を折り曲げて被嵌合部３２５の下側に引っ掛ける。このようにして隣接する上折板屋根材３の山部３２同士をはぜ締めにより接合することによって、隣接する山部３２を接続する。また、上記のはぜ締めにより、山部３２が固定部５１の方に近づくように若干傾くために、被係止部３４、３５が係合部５９にさらに深く確実に係止されることになる。そして、このようにして複数枚の上折板屋根材３を順次接続しながら左右方向に配置していくことにより、山部３２と谷部３１とが交互に連続して連なった上折板屋根を形成することができる。
【００５８】
このようにして複数の下折板屋根材２を備える下折板屋根と、複数の上折板屋根材３を備える上折板屋根とを有する二重折板屋根構造が形成される。
【００５９】
（変形例）
実施形態は、本開示の様々な実施形態の一つに過ぎない。実施形態は、本開示の目的を達成できれば、設計等に応じて種々の変更が可能である。
【００６０】
図１０には、取付具１の変形例を示す。この取付具１は、図２及び図３の取付具１に対して、引掛け部１２の構成が異なる。図２及び図３の取付具１は、引掛け部１２がボルト１２１及びナット１２２で構成されているが、図１０の取付具１では金属板で引掛け部１２が形成されている。この金属板の引掛け部１２は前後方向に対向する一対の補強部１１２のうち、一方の補強部１１２と一体に形成されている。そして、引掛け部１２は他方の補強部１１２の方に延ばされて一対の補強部１１２の間に架け渡されている。
【００６１】
図１０に示す取付具１では、ボルト１２１及びナット１２２が必要でなく、金属板の折り曲げ加工等で全体を形成することができ、生産性が向上する。
【００６２】
図１１には、取付具１の他の変形例を示す。この取付具１は、図２及び図３の取付具１に対して、接続部１３の構成が異なる。図２及び図３の取付具１は、２つの固定部１１が接続部１３によりつながれているが、図１１の取付具１では２つの固定部１１が接続部１３によりつながれていない。すなわち、取付具１は、引掛け部１２を設けた２つの固定部１１がそれぞれ別体で形成されている。この場合、各固定部１１をそれぞれ下折板屋根材２の外面４に接触させて配置し、固定具１４で下タイトフレーム１０に固定することができる。しかし、各固定部１１をそれぞれ個別に固定すると、対向して配置される固定部１１の位置がずれてしまうことがあり、これにより、上タイトフレーム５の左右両端部の屈曲部５０を引掛け部１２に引っ掛けにくくなることがある。
【００６３】
そこで、２つの固定部１１を配置する際には、接続治具１９を使用する。接続治具１９は、２つの固定部１１を接続した状態で、下折板屋根材２の対向する山部２１の間に配置し、固定部１１を固定具１４で下タイトフレーム１０に固定した後、固定部１１から取り外す。すなわち、接続治具１９は取付具１の取付時に使用し、取付具１の取付後には使用しない治具である。接続治具１９は、一対の支持部９１を有し、一対の支持部９１は架設部９２で結合されている。一対の支持部９１は前後方向に対向して配置されており、各支持部９１の左右両端のそれぞれに、切欠部９３が設けられている。各切欠部９３は支持部９１の下面に開口している。また接続治具１９の左右両端において、一対の切欠部９３が前後方向に対向して配置されている。
【００６４】
そして、取付具１を構成する一対の固定部１１のそれぞれが、接続治具１９の左右両端に保持された状態で下折板屋根材２の外面４に配置される。前後方向で対向して配置された一対の切欠部９３は引掛け部１２に挿入されており、これにより、接続治具１９に固定部１１及び引掛け部１２が保持される。そして、上記と同様にして、固定部１１を固定具１４で下タイトフレーム１０に固定した後、切欠部９３を引掛け部１２から引き抜くことで固定部１１から接続治具１９を取り外すことができる。
【００６５】
上記では、二重折板屋根構造８として屋根改修構造９である場合を説明した。すなわち、下折板屋根材２が既存屋根材であって、施工してから数ヶ月以上経っており、劣化したりデザインが古くなっていたりした場合に、新規屋根材である上折板屋根材３を施工して、下折板屋根材２をカバーする場合について説明した。しかしながら、本開示における二重折板屋根構造８は、下折板屋根材２が新規屋根材である場合にも適用可能である。すなわち、新築の建物の屋根構造を本開示の二重折板屋根構造８とすることができる。
【００６６】
上記では、下折板屋根材２と上折板屋根材３との間を空間で形成したが、これに限られず、下折板屋根材２と上折板屋根材３との間に断熱材を設けても良い。断熱材としては、ロックウール又はグラスウールなどの無機繊維材及びウレタンフォーム又はスチレンフォームなどの樹脂発泡体などが例示される。
【００６７】
上記では、上折板屋根材３として、被係止部３４、３５を備えるものを使用した。また上タイトフレーム５として、係合部５９を備えるものを使用した。しかしながら、これに限定されず、図１２に示すように、上折板屋根材３として、被係止部３４、３５を備えていないものを使用することができる。この場合、下折板屋根材２と上折板屋根材３とは同種のものを使用することができる。また上折板屋根材３に被係止部３４、３５が無い場合に、上タイトフレーム５として、係合部５９が無いものを使用することができる。
【００６８】
下折板屋根材２及び上折板屋根材３において、折板の種類は特に問わない。下折板屋根材２及び上折板屋根材３は、例えば、図１２に示すように、はぜ継ぎ接続されるはぜ式折板、嵌合により接続される嵌合式折板、図１３に示す下折板屋根材２のように、重ね合わせて接合される重ね式折板などが採用できる。はぜ式折板の場合、はぜ継ぎ部分の形状は角ハゼ形状又は丸ハゼ形状とすることができる。
【００６９】
（まとめ）
以上説明したように、第１の態様に係る取付具（１）は、下折板屋根材（２）の上方に上折板屋根材（３）を取り付けるための取付具（１）である。下折板屋根材（２）の山部（２１）の上面（４１）以外の外面（４）に配置される固定部（１１）と、山部（２１）の側方から上方にわたって配置される上タイトフレーム（５）が引っ掛けられる引掛け部（１２）と、を備える。
【００７０】
この態様によれば、下折板屋根材（２）の山部（２１）の上面（４１）以外の外面（４）に固定部（１１）を配置して取付具（１）を取り付け、この取付具（１）の引掛け部（１２）に上タイトフレーム（５）を引っ掛けて配置する。そして、この上タイトフレーム（５）に上折板屋根材（３）を取り付けることができ、下折板屋根材（２）に上タイトフレーム（５）が引っ掛ける部分を設ける必要がなく、取付具（１）が取付可能であれば、下折板屋根材（２）の形状や種類は制限されにくい、という利点がある。
【００７１】
第２の態様に係る取付具（１）は、第１の態様において、外面（４）は、山部（２１）の下部（２１１）の外面（４２）を含む。
【００７２】
この態様によれば、山部（２１）の上部の外面に取付具（１）を配置する場合に比べて、上タイトフレーム（５）及び上折板屋根材（３）の負圧に対する強度を向上させることができ、耐負圧性能を高くすることができる、という利点がある。
【００７３】
第３の態様に係る取付具（１）は、第１又は２の態様において、固定部（１１）は、下折板屋根材（２）を取り付けた下タイトフレーム（１０）に固定される。
【００７４】
この態様によれば、取付具（１）は下折板屋根材（２）よりも強度の高い下タイトフレーム（１０）に固定することができ、耐負圧性能を高くすることができる、という利点がある。
【００７５】
第４の態様に係る取付具（１）は、第１〜３のいずれか１つの態様において、固定部（１１）及び引掛け部（１２）をそれぞれ複数有する。複数の固定部（１１）をつなぐ接続部（１３）を備える。
【００７６】
この態様によれば、複数の固定部（１１）を少ない作業で取り付けることができ、作業性が向上する、という利点がある。
【００７７】
第５の態様に係る連結具（６）は、第１〜４のいずれか１つの態様の取付具（１）と、上タイトフレーム（５）と、複数の上タイトフレーム（５）をつなぐ継ぎ具（７）と、を備える。
【００７８】
この態様によれば、継ぎ具（７）で複数の上タイトフレーム（５）をつなぐことができ、上タイトフレーム（５）の負圧に対する取付強度を高くすることができる、という利点がある。
【００７９】
第６の態様に係る二重折板屋根構造（８）は、第５の態様の連結具（６）を用いた二重折板屋根構造である。取付具（１）は、下折板屋根材（２）の山部（２１）の上面（４１）以外の外面（４）に固定部（１１）を配置することによって、下折板屋根材（２）の外面（４）に設けられている。上タイトフレーム（５）は、下折板屋根材（２）の外面（４）に設けた取付具（１）の引掛け部（１２）に引っ掛けられて、山部（２１）の側方から上方にわたって配置されている。
【００８０】
この態様によれば、下折板屋根材（２）の外面（４）に取付具（１）を取り付け、この取付具（１）に上タイトフレーム（５）を引っ掛けて取り付けるため、取付具（１）が取付可能であれば、下折板屋根材（２）の形状や種類は制限されにくい、という利点がある。
【００８１】
第７の態様に係る屋根改修構造（９）は、第６の態様の二重折板屋根構造（８）である。下折板屋根材（２）が既存屋根材である。上折板屋根材（３）が新規屋根材である。
【００８２】
この態様によれば、下折板屋根材（２）を上折板屋根材（３）でカバーすることができる、という利点がある。
【符号の説明】
【００８３】
１  取付具
１１  固定部
１２  引掛け部
２  下折板屋根材
２１  山部
２１１  下部
３  上折板屋根材
４  外面
４１  上面
４２  外面
５  上タイトフレーム
６  連結具
７  継ぎ具
８  二重折板屋根構造
９  屋根改修構造
１０  下タイトフレーム
【図１】
2020186625.tif 000003
【図２】
2020186625.tif 000004
【図３】
2020186625.tif 000005
【図４】
2020186625.tif 000006
【図５】
2020186625.tif 000007
【図６】
2020186625.tif 000008
【図７】
2020186625.tif 000009
【図８】
2020186625.tif 000010
【図９】
2020186625.tif 000011
【図１０】
2020186625.tif 000012
【図１１】
2020186625.tif 000013
【図１２】
2020186625.tif 000014
【図１３】
2020186625.tif 000015